(57)【要約】【課題】デフロストヒータの除霜機能を維持しつつ、蒸発器に付着した霜が融解し落下する際、融解水による影響を受けにくい脱臭装置を提供する。【手段】冷蔵庫１に備えられたデフロストヒータ４と蒸発器５との間に、デフロストヒータ４を覆うように配置されたヒータカバー６を有し、ヒータカバー６の下面６ａには、脱臭材１０が塗布されている脱臭装置を提供する。【選択図】図１
2020094755.tif 000002
【特許請求の範囲】
【請求項１】
冷蔵庫に備えられたデフロストヒータと蒸発器との間に、前記デフロストヒータを覆うように配置されたヒータカバーを有し、
前記ヒータカバーの下面には、脱臭材が塗布されている脱臭装置。
【請求項２】
前記冷蔵庫の庫内に設けられた臭気センサにより検出されたデータに基づいて、前記デフロストヒータを作動させることを特徴とする請求項１に記載の脱臭装置。
【請求項３】
前記脱臭材は、触媒と吸着剤とを含み、
前記触媒は、酸化銅、酸化マンガン、白金のうちの少なくとも１つを含み、
前記吸着剤は、シリカ及びアルミナを含むことを特徴とする請求項１又は２に記載の脱臭装置。
【請求項４】
前記吸着剤は、孔径が異なる複数の微細孔を含んでおり、
前記孔径は、４オングストローム以上１３オングストローム以下であることを特徴とする請求項１〜３のいずれか１に記載の脱臭装置。
【請求項５】
前記ヒータカバーはアルミニウムから形成されている請求項１〜４のいずれか１つに記載の脱臭装置。
【発明の詳細な説明】
【技術分野】
【０００１】
本発明は、脱臭装置および脱臭装置を備えた冷蔵庫に関する。
【背景技術】
【０００２】
様々な食品が収容される冷蔵庫は、密閉空間であるため、食品から発せられる臭気が冷蔵庫内に充満する。特に、強い臭気は、他の食品へ移り、その食品を食べる際に不快感を生じさせることもある。そのため、脱臭機能を備えた様々な冷蔵庫が提案されている。その中の１つである特許文献１に記載の脱臭装置は、ガラス管ヒータ（デフロストヒータ）に脱臭剤を配設することで、冷蔵庫内の臭気を脱臭している。
【先行技術文献】
【特許文献】
【０００３】
【特許文献１】特開平０９−１５９３４８号公報
【発明の概要】
【発明が解決しようとする課題】
【０００４】
しかしながら、特許文献１に記載の脱臭装置では、脱臭材が直接デフロストヒータに配設されているため、デフロストヒータの放熱を阻害し、デフロストヒータの本来の機能である蒸発器の除霜機能を低下させるという問題があった。また、蒸発器とデフロストヒータの配置関係から、霜の融解により生じた水分が脱臭材上に落下するため、冷蔵庫を長期使用していると、脱臭材がデフロストヒータから剥がれ落ちるという問題もあった。
【０００５】
そのため、本発明の目的は、デフロストヒータの除霜機能を維持しつつ、蒸発器に付着した霜が融解し落下する際、融解水による影響を受けにくい脱臭装置を提供することにある。
【課題を解決するための手段】
【０００６】
上記の目的を達成するために、本発明の脱臭装置は、
冷蔵庫に備えられたデフロストヒータと蒸発器との間に、前記デフロストヒータを覆うように配置されたヒータカバーを有し、
前記ヒータカバーの下面には、脱臭材が塗布されていることを特徴とする。
【０００７】
本発明によれば、脱臭材がヒータカバーの下面に塗られているので、蒸発器に付着した霜の融解水が脱臭材に直接当たらない。これにより、脱臭材が霜の融解水によって剥がれる恐れがない。また、脱臭材が、デフロストヒータに直接塗布されていないので、デフロストヒータの放熱性能を阻害しない。これによりデフロストヒータの除霜機能が維持される。また、脱臭材がデフロストヒータの近くに配置されるため、デフロストヒータの熱を脱臭材に吸収された臭気成分の分解に利用できる。これにより、デフロストヒータの熱を有効に利用できる。さらに、脱臭材の吸着性能が維持され、脱臭材を半永久的に使用することができる。
【０００８】
また、本発明は、
前記冷蔵庫の庫内に設けられた臭気センサにより検出されたデータに基づいて、前記デフロストヒータを作動させることを特徴とする。
【０００９】
本発明によれば、冷蔵庫内の臭気量に基づいてデフロストヒータが作動し、臭気成分が分解される。これにより、冷蔵庫内の臭気量を一定量以下に保つことができる。
【００１０】
また、本発明では、
前記脱臭材は、触媒と吸着剤とを含み、
前記触媒は、酸化銅、酸化マンガン、白金のうちの少なくとも１つを含み、
前記吸着剤は、シリカ及びアルミナを含むことを特徴とする。
【００１１】
本発明によれば、吸着剤が臭気成分を吸着し、吸着剤に吸着された臭気成分は、デフロストヒータの熱及び触媒の働きにより熱分解されるので、脱臭材を繰り返し使用することが可能になる。
【００１２】
また、本発明では、
前記吸着剤は、孔径が異なる複数の微細孔を含んでおり、
前記孔径は、４オングストローム以上１３オングストローム以下であることを特徴とする。
【００１３】
本発明によれば、吸着剤は、孔径の異なる複数の微細孔を含むので、種類の異なる臭気成分を吸着できる。
【００１４】
また、本発明では、前記ヒータカバーはアルミニウムから形成されていることを特徴とする。
【００１５】
本発明によれば、アルミニウムは放熱性能がよいため、アルミニウムから形成されたヒータカバーを蒸発器とデフロストヒータとの間に配置しても、蒸発器に熱を伝えるというデフロストヒータの本来の目的を阻害しない。また、アルミニウムは安価であるため、ヒータカバーの製造コストを抑えることができる。
【発明の効果】
【００１６】
以上のように、本発明の脱臭装置は、デフロストヒータの除霜機能を維持しつつ、蒸発器に付着した霜が融解し落下する際、融解水による影響を受けにくい。
【図面の簡単な説明】
【００１７】
【図１】本発明の１つの実施形態に係る脱臭装置を備えた冷蔵庫を側面から見たときの模式的断面図である。
【図２】図１における冷蔵庫を矢視Ａ−Ａ方向からみたときの模式的断面図である。
【図３】蒸発器とデフロストヒータとの間に配置された、本発明の１つの実施形態に係る脱臭装置の模式的側面図である。
【図４】蒸発器とデフロストヒータとの間に配置された、本発明の１つの実施形態に係る脱臭装置の模式的斜視図である。
【図５】図３の一部を拡大した図である。
【図６】本発明の１つの実施形態に係る脱臭装置における脱臭材について説明する模式図である。
【図７】本発明の１つの実施形態に係る脱臭装置における脱臭方法の一例を示すフローチャートである。
【図８】本発明の１つの実施形態に係る脱臭装置における脱臭方法のその他の例を示すフローチャートである。
【発明を実施するための形態】
【００１８】
本発明の具体的な実施形態について、図面を参照しながら詳細に説明する。
図１は、本発明の１つの実施形態に係る脱臭装置１００を備えた冷蔵庫１を側面から見たときの模式的断面図である。図中の矢印は、冷蔵庫１内を循環する冷気の流れを示している。図２は、図１における冷蔵庫１を矢視Ａ−Ａ方向からみたときの模式的断面図である。図中の矢印は、冷蔵庫１内を循環する冷気の流れを示している。
はじめに、図１及び図２を参照しながら、本発明の１つの実施形態に係る冷蔵庫１内を循環する冷気の流れについて説明する。
【００１９】
本実施形態に係る冷蔵庫１は、冷蔵室２及び冷凍室３を備える。冷蔵室２及び冷凍室３の背面側には、それぞれ仕切板２６Ａ、２６Ｂで仕切られた入側流路２４Ａ、２４Ｂが設けられている。冷凍室３側の入側流路２４Ｂには、蒸発器５が配置され、その上方にファン１２が配置され、その下方にデフロストヒータ４が配置されている。蒸発器５及びデフロストヒータ４の間には、ヒータカバー６が配置されている。冷凍室３の背面側の外部には、蒸発器５と連通したコンプレッサ８が配置されている。コンプレッサ８で圧縮された冷媒（気体）が凝縮器で液化され、液化された冷媒が蒸発器５で庫内の気体の熱を奪って気化し、気化した冷媒がコンプレッサ８で再び圧縮されるというサイクルを繰り返す。
【００２０】
冷蔵室２側の入側流路２４Ａ及び冷凍室３側の入側流路２４Ｂの間には、ダンパ１４が配置されている。図１ではダンパ１４が開の状態を示す。
ダンパ１４が閉の状態では、コンプレッサ８及びファン１２を駆動させると、冷凍室３内の気体が流動し、蒸発器５を通過した冷気が仕切板２６Ｂに設けられた吹出口１６Ｂから、冷凍室３内に流入する。流入した気体は、冷凍室３内を循環して、排気口１８Ｂを通って、再び、入側流路２４Ｂ内の蒸発器５の下側に戻る。以上のように、蒸発器５を通過して冷却された気体の循環により、冷凍室３内を冷却することができる。
【００２１】
ダンパ１４が開の状態では、コンプレッサ８及びファン１２を駆動させると、蒸発器５を通過した冷気が、冷凍室３内だけでなく、冷蔵室２側の入側流路２４Ａにも流入する。入側流路２４Ａに流入した気体は、吹出口１６Ａから冷蔵室２内に流入する。流入した気体は、冷蔵室２内を循環して、冷蔵室２の背面側下方に設けられた排気口１８Ａから戻り流路２０へ排出される（図２参照）。戻り流路２０へ流入した気体は、戻り流路２０内を下方へ流れ、冷凍室３の背面の蒸発器５の下側に戻る。冷凍室３と同様に、蒸発器５を通過して冷却された気体の循環により、冷蔵室２内を冷却することができる。
【００２２】
図３は、蒸発器５とデフロストヒータ４との間に配置された、本発明の１つの実施形態に係る脱臭装置１００の模式的側面図である。図中の白抜き矢印は、デフロストヒータ４と脱臭装置１００と蒸発器５とを通過する冷気の流れを示している。図４は、蒸発器５とデフロストヒータ４との間に配置された、本発明の１つの実施形態に係る脱臭装置１００の下方斜視図を模式的に示す。図５は、図３の一部を拡大した図である。図６は、本発明の１つの実施形態に係る脱臭装置１００における脱臭材１０について説明する模式図であり、（ａ）ヒータカバー６の下面６ａに配置された脱臭材１０の模式的断面図を示し、（ｂ）脱臭材１０に含まれる吸着剤３０の模式的拡大図を示し、（ｃ）吸着剤３０に形成された微細孔３２と微細孔３２に付着している触媒３４との模式的拡大図を示している。
次に、図１〜６を参照して本発明に係る脱臭装置１００について説明する。
【００２３】
脱臭装置１００は、蒸発器５とデフロストヒータ４との間に配置されているヒータカバー６と、ヒータカバー６の下面６ａに塗布された脱臭材１０とを含む。
【００２４】
（ヒータカバー）
ヒータカバー６は、デフロストヒータ４の上部を覆うように、蒸発器５とデフロストヒータ４との間に配置されている。ヒータカバー６は、例えば、金属製又はセラミック製の薄い板形状である。ヒータカバー６の材料としては、放熱性が高いものが望ましく、本実施形態ではアルミニウムを用いている。
【００２５】
（脱臭材）
脱臭材１０は、ヒータカバー６の下面６ａ全体を覆うように配置されている。
本実施形態に用いられる脱臭材１０は、図６に示すように、吸着剤３０と、吸着剤３０に形成された微細孔３２内に配置された触媒３４とを含む。
吸着剤３０は、脱臭材１０を通過する臭気成分を吸着させるためのものであり、例えば、シリカ及びアルミナを主成分とする疎水性ゼオライトを含む。また、吸着剤３０は、孔径の異なる複数の微細孔を有する。脱臭材１０を通過する臭気成分はこの微細孔に吸着される。微細孔の孔径は、例えば４オングストローム以上１３オングストローム以下である。孔径の測定方法としては、例えば、水銀圧入法、ガス吸着法等が用いられる。
触媒３４は、吸着剤３０に吸着された臭気成分の熱分解を促進させるためのものであり、例えば、酸化銅、酸化マンガン、白金のうち少なくとも１つを含む。
脱臭材１０はさらに、アルミニウム板から形成されるヒータカバー６とのバインダとして、無機バインダを含む。無機バインダは、例えば、シリカを主成分とする水ガラスである。
以上の吸着剤３０と触媒３４とバインダとの混同溶液をヒータカバー６の下面６ａにロールコートすることにより、脱臭材１０がヒータカバー６に配置される。ヒータカバー６に配置された脱臭材１０の厚さは、例えば、約２ｍｍである。
【００２６】
（脱臭方法の一例）
次に、図７には、本発明の１つの実施形態に係る脱臭装置１００における脱臭方法の一例を示すフローチャートが示されている。図７を参照しながら、本実施形態に係る脱臭装置１００による脱臭方法の一例を説明する。
【００２７】
図７のフローチャートにおいて、まずコンプレッサ８の総運転時間が時間Ｔ１を超えたか否かを判断する（ステップＳ１００）。時間Ｔ１は、コンプレッサ８の総運転時間から蒸発器５に付着した霜の量を予測して、デフロストヒータ４の作動開始を決定する閾値であって、標準的な家庭用冷蔵庫（例えば、容量３００Ｌの冷蔵庫）では、例えば、２４時間〜４８時間である。
【００２８】
ステップＳ１００において、コンプレッサ８の総運転時間がＴ１を超えていない（ＮＯ）と判断したとき、ステップＳ１００が繰り返される。ステップＳ１００において、コンプレッサ８の総運転時間がＴ１を超えた（ＹＥＳ）と判断したときは、続いて、コンプレッサ８が作動しているか否かが判断される（ステップＳ１０２）。
【００２９】
ステップＳ１０２の処理で、コンプレッサ８が作動状態（ＯＮ）である（ＹＥＳ）と判断したとき、ステップＳ１０２が繰り返される。つまり待機状態となる。ステップＳ１０２で、コンプレッサ８が停止状態（ＯＦＦ）である（ＮＯ）と判断したとき、デフロストヒータ４が作動（ＯＮ）させられる（ステップＳ１０４）。このとき同時に冷蔵庫１のファン１２が停止（ＯＦＦ）させられる（ステップＳ１０４）。
【００３０】
デフロストヒータ４が作動状態（ＯＮ）になると、脱臭材１０は加熱され、脱臭材１０が含んでいる臭気成分が分解される（ステップＳ１０６）。
【００３１】
次に、ステップＳ１０６で臭気成分が分解されている間、コンプレッサ８の運転状態を監視する（ステップＳ１０８）。ステップＳ１０８でコンプレッサ８が作動状態（ＯＮ）になったと判断すると、デフロストヒータ４は停止（ＯＦＦ）され、ファン１２が作動（ＯＮ）させられる（ステップＳ１１２）。ステップＳ１０８でコンプレッサ８が停止（ＯＦＦ）していると判断したときは、時間Ｔ２が経過したか否かが判断される（ステップＳ１１０）。時間Ｔ２は、蒸発器５に付着した霜が十分に融解される時間が望ましく、標準的な家庭用冷蔵庫（例えば、容量３００Ｌの冷蔵庫）では、例えば約１０分である。
【００３２】
ステップＳ１１０で時間Ｔ２が経過していない（ＮＯ）と判断したときは、ステップＳ１０８及びステップＳ１１０が繰り返される。ステップＳ１１０で時間Ｔ２が経過した（ＹＥＳ）と判断したときは、デフロストヒータ４は停止（ＯＦＦ）され、ファン１２が作動（ＯＮ）させられる（ステップＳ１１２）。
【００３３】
このように制御された脱臭装置１００は、冷蔵庫の標準的なデフロストサイクルを利用して臭気分解処理を行っているため、既存の冷蔵庫のシステムと容易に組み合わせることができる。
【００３４】
（脱臭方法のその他の例）
また、本実施形態に係る脱臭装置１００による脱臭方法は、これに限られるものではなく、例えば、冷蔵庫１に臭気センサ２２を設けて、臭気センサ２２によって検知された臭気量に基づいた脱臭方法もある。
【００３５】
図８には、本発明の１つの実施形態に係る脱臭装置における脱臭方法のその他の例を示すフローチャートが示されている。図８を参照しながら本実施形態に係る脱臭装置１００の別の脱臭方法を説明する。
【００３６】
図８のフローチャートにおいて、まず、臭気センサ２２が検出する臭気成分の量が予め決められた臭気量Ｑ１を超えたか否かを判断する（ステップＳ２００）。臭気量Ｑ１は、臭気センサ２２が検出する単一臭気成分の臭気量でもよいし、複数の臭気成分の総量でもよい。臭気センサ２２が、例えば、アンモニアのみを検出する場合、臭気量Ｑ１は、例えば、１．０ｐｐｍ〜１．５ｐｐｍである。
本実施形態において、臭気センサ２２は、図２に示すように、貯蔵室２ａ、３ａ内を循環し、蒸発器５に戻る戻り流路２０に配置されている。また、本実施形態では、臭気センサ２２として半導体センサを用いているが、これに限られるものではなく既知のいずれのセンサも用いることができる。
【００３７】
この判断で臭気量がＱ１を超えていない（ＮＯ）と判断したとき、ステップＳ２００の判断処理が繰り返される。ステップＳ２００の判断で臭気量がＱ１を超えている（ＹＥＳ）と判断したときは、続いて、コンプレッサ８の運転状態を確認する（ステップＳ２０２）。
【００３８】
ステップＳ２０２の確認処理で、コンプレッサ８が作動状態（ＯＮ）である（ＹＥＳ）と判断すると、ステップＳ２０２が繰り返される。つまり待機状態となる。ステップＳ２０２で、コンプレッサ８が停止状態（ＯＦＦ）である（ＮＯ）と判断すると、デフロストヒータ４が作動（ＯＮ）させられる（ステップＳ２０４）。このとき同時に冷蔵庫１のファン１２が停止（ＯＦＦ）させられる（ステップＳ２０４）。
【００３９】
デフロストヒータ４が作動状態（ＯＮ）になると、脱臭材１０は加熱され、脱臭材１０が含んでいる臭気成分が分解される（ステップＳ２０６）。
【００４０】
次に、ステップＳ２０６で臭気成分が分解されている間、コンプレッサ８の運転状態を監視する（ステップＳ２０８）。ステップＳ２０８でコンプレッサ８が作動状態（ＯＮ）になったと判断すると、デフロストヒータ４は停止（ＯＦＦ）され、ファン１２が作動（ＯＮ）させられる（ステップＳ２１２）。ステップＳ２０８でコンプレッサが停止（ＯＦＦ）していると判断したときは、臭気センサ２２が検出する臭気量が予め決められた臭気量Ｑ２より少なくなったか否かを判断する（ステップＳ２１０）。
【００４１】
ステップＳ２１０で臭気量がＱ２より多い（ＮＯ）と判断したときは、ステップＳ２０８及びステップＳ２１０が繰り返される。ステップＳ２１０で臭気量がＱ２より少ない（ＹＥＳ）と判断したときは、デフロストヒータ４は停止（ＯＦＦ）され、ファン１２が作動（ＯＮ）させられる（ステップＳ２１２）。臭気センサ２２が、例えば、アンモニアのみを検出する場合、臭気量Ｑ２は、例えば、０．１ｐｐｍである。
【００４２】
さらに、本実施形態においてこのような臭気センサ２２に基づいた脱臭方法を用いる際、冷蔵庫１内の過剰な温度上昇を防止するため、臭気分解処理の実施回数に制限を設ける。実施回数の制限は、例えば、「１日に最大３回まで」等である。
【００４３】
このように制御された脱臭装置１００は、臭気センサ２２によるデータに基づいて臭気成分分解処理を実施するため、使用者が不快に感じる臭気量が冷蔵庫１内に充満する前に臭気成分を分解することができる。これにより、使用者は、臭気による不快さを感じることなく、冷蔵庫１を使用できる。
【００４４】
このように構成された脱臭装置１００は、脱臭材１０がヒータカバー６の下面６ａに塗られているので、蒸発器５に付着した霜の融解水４０が脱臭材１０に直接当たらない。これにより、脱臭材１０が霜の融解水４０によって剥がされる恐れがない。また、脱臭材１０が、デフロストヒータ４に直接塗布されていないので、デフロストヒータ４の放熱性能を阻害しない。これにより、デフロストヒータ４の除霜機能が維持される。また、脱臭材１０がデフロストヒータ４の近くに配置されるため、デフロストヒータ４の熱を脱臭材１０に吸収された臭気成分の分解に利用できる。これにより、デフロストヒータ４の熱を有効に利用できる。さらに、脱臭材１０の吸着性能が維持され、脱臭材１０を半永久的に使用することができる。
【００４５】
また、このように構成された脱臭装置１００は、臭気センサ２２を有する場合、冷蔵庫１内の臭気量に応じてデフロストヒータ４が作動させ、臭気分解処理が実施する。これにより、冷蔵庫１内の臭気量をおよそ所定値以下に保つことができる。
【００４６】
また、このように構成された脱臭装置１００では、吸着剤３０が臭気成分を吸着し、吸着剤３０に吸着された臭気成分は、デフロストヒータ４の熱及び触媒の働きにより熱分解されるので、脱臭材１０を繰り返し使用することが可能になる。
【００４７】
また、このように構成された脱臭装置１００では、吸着剤３０が孔径の異なる複数の微細孔を含むので、種類の異なる臭気成分を吸着できる。
【００４８】
また、このように構成された脱臭装置１００では、放熱性能がよいアルミニウムから形成されたヒータカバー６が用いているため、蒸発器５とデフロストヒータ４との間にヒータカバー６を配置しても、蒸発器５に熱を伝えるというデフロストヒータ４の本来の目的は阻害されない。また、アルミニウムは安価であるため、ヒータカバー６の製造コストを抑えることができる。
【００４９】
また、このように構成された脱臭装置１００は、臭気分解処理を実施するにあたり、コンプレッサ８の運転状況を考慮しているため、冷蔵庫１の本来の機能である冷却機能を優先させることができる。
【００５０】
また、このように構成された脱臭装置１００は、構成が簡易であるため、既製の冷蔵庫にも容易に設置することができる。
【００５１】
また、このように構成された脱臭装置１００は、臭気分解処理において、デフロストヒータ４を作動させると同時にファン１２を停止し、冷蔵庫１内における冷気の循環を抑制する。これにより、デフロストヒータ４から発せられる熱はデフロストヒータ４近傍に滞留しやすくなり、該熱が、脱臭材１０における臭気成分の分解と蒸発器５の除霜との両方に有効に利用される。
【００５２】
（変形）
上記の実施形態では、コンプレッサ８の総運転時間又は臭気センサ２２が検出した臭気量に基づいて臭気成分の分解処理を開始したが、これに限られるものではない。例えば、脱臭材１０に吸着された臭気成分の量が所定の上限量を超過すると臭気分解処理を開始し、該臭気成分の量が所定の下限量まで分解されると臭気分解処理を終了してもよい。
【００５３】
また、上記の実施形態では、脱臭装置１００が、臭気分解処理のための制御を行うが、これに限られるものではない。例えば、冷蔵庫１本体の制御装置が臭気分解処理のための制御を行ってもよい。
【００５４】
また、上記の実施形態では、脱臭装置１００が、コンプレッサ８の総運転時間に基づくデフロストヒータ４の作動制御を行うが、これに限れるものではない。例えば、冷蔵庫１本体の制御装置と、脱臭装置１００と、がそれぞれ別の制御を行い、それらの複合的な制御として臭気分解を実施してもよい。具体的には、冷蔵庫１本体の制御装置がコンプレッサ８の総運転時間に基づくデフロストヒータ４の作動制御（ステップＳ１００〜ステップＳ１０４、ステップＳ１０８、ステップＳ１１２）を行い、該制御状況に応じて、脱臭装置１００が臭気分解処理（ステップＳ１０６、ステップＳ１１０、ステップＳ１１２）を行ってもよい。
【００５５】
また、上記の実施形態では、臭気センサ２２が戻り流路２０に配置されているが、これに限られるものではなく、冷蔵庫１内を循環する冷気の流路上であればよい。さらに、臭気センサの設置個数も適宜変更してよい。
【００５６】
本明細書では、本発明の実施の形態、実施の態様を説明したが、開示内容は構成の細部において変化してもよく、実施の形態、実施の態様における要素の組み合わせや順序の変化等は請求された本発明の範囲および思想を逸脱することなく実現し得るものである。
【符号の説明】
【００５７】
１  冷蔵庫
２  冷蔵室
２ａ  貯蔵室
３  冷凍室
３ａ  貯蔵室
４  デフロストヒータ
５  蒸発器
６  ヒータカバー
６ａ  ヒータカバー下面
８  コンプレッサ
１０  脱臭材
１２  ファン
１４  ダンパ
１６Ａ、１６Ｂ  吹出口
１８  排気口
２０  戻り流路
２２  臭気センサ
２４Ａ、２４Ｂ  入側流路
２６Ａ、２６Ｂ  仕切板
３０  吸着剤
３２  微細孔
３４  触媒
４０  融解水
１００  脱臭装置
【図１】
2020094755.tif 000003
【図２】
2020094755.tif 000004
【図３】
2020094755.tif 000005
【図４】
2020094755.tif 000006
【図５】
2020094755.tif 000007
【図６】
2020094755.tif 000008
【図７】
2020094755.tif 000009
【図８】
2020094755.tif 000010